(57)【要約】【課題】焼却炉等の操業休止時に煙突に蓋をして、雨水等の浸入を防止することのできる煙突用養生蓋構造を提供すること。【解決手段】本発明の煙突用養生蓋構造は、煙突の頂部に設けられ、排煙開口部を開閉可能に配設された煙突用養生蓋構造であって、煙突の頂部近傍に回動中心を有する腕体と、前記腕体の一端に配設されるとともに回動軌跡に沿って湾曲した蓋体と、前記腕体の他端に配設されたカウンターバランスと、着脱可能な開閉補助棒と、前記蓋体を開成状態で係止する第１係止部と、前記蓋体を閉成状態で係止する第２係止部とを備えたので、焼却炉等の操業休止時に作業者が一人で煙突に蓋をして、雨水等の浸入を防止することができる。【選択図】図１
2007187399.tif 000002
【特許請求の範囲】
【請求項１】
煙突の頂部に設けられ、排煙開口部を開閉可能に配設された煙突用養生蓋構造であって、
煙突の頂部近傍に回動中心を有する腕体と、前記腕体の一端に配設されるとともに回動軌跡に沿って湾曲した蓋体と、前記腕体の他端に配設されたカウンターバランスと、着脱可能な開閉補助棒と、前記蓋体を開成状態で係止する第１係止部と、前記蓋体を閉成状態で係止する第２係止部とを備えたことを特徴とする煙突用養生蓋構造。
【請求項２】
前記蓋体は、閉成状態において閉成方向に付勢されて配設されたことを特徴とする請求項１に記載の煙突用養生蓋構造。
【発明の詳細な説明】
【技術分野】
【０００１】
本発明は、例えば焼却炉等から排出される排気を大気中に拡散するための煙突の養生蓋構造に関するものである。  
【背景技術】
【０００２】
一般に焼却炉等の煙突は、複数設置されたゴミ焼却炉を一定の操業ローテーションに従ってその一部のみが操業されている。この時、操作を停止している煙突から雨水が浸入して、錆や腐食が発生するおそれがあった。
そこで、操業を停止している煙突の頂部に手作業でキャップを取り付けたり、引用文献１に示すように煙突を水平方向に開閉するシャッター状の蓋で覆う構成や平板状の蓋を開閉させる構成のものが提案されている。
【特許文献１】特開平１０−１６０１５４号公報
【発明の開示】
【発明が解決しようとする課題】
【０００３】
しかし、このような構成の従来の煙突用養生蓋構造において、シャッター状の蓋では装置が複雑で故障し易いとともに、装置が大掛かりとなる欠点があった。
手作業で行うものにあっては、重量のある蓋体を１人で開閉作業することが困難であり、危険を伴う可能性があった。
【０００４】
この発明は、上記に鑑み提案されたもので、作業者が一人で操業停止時に煙突に蓋をして、雨水等の浸入を防止することにより、煙突内部の錆や腐食の発生を防止し、煙突中の酸化物が周囲に飛散するのを防止できる煙突用養生蓋構造を提供することを目的とするものである。
【課題を解決するための手段】
【０００５】
上記目的を達成する為に、本発明の煙突用養生蓋構造は、煙突の頂部に設けられ、排煙開口部を開閉可能に配設された煙突用養生蓋構造であって、煙突の頂部近傍に回動中心を有する腕体と、前記腕体の一端に配設されるとともに回動軌跡に沿って湾曲した蓋体と、前記腕体の他端に配設されたカウンターバランスと、着脱可能な開閉補助棒と、前記蓋体を開成状態で係止する第１係止部と、前記蓋体を閉成状態で係止する第２係止部とを備えたことを特徴としている。
【０００６】
また、本発明において、前記蓋体は閉成状態において閉成方向に付勢されて配設されたことを特徴とする。
【発明の効果】
【０００７】
この発明は上記した構成からなるので、以下に説明するような効果を奏することができる。
【０００８】
本発明では、煙突の頂部に設けられ、排煙開口部を開閉可能に配設された煙突用養生蓋構造であって、煙突の頂部近傍に回動中心を有する腕体と、前記腕体の一端に配設されるとともに回動軌跡に沿って湾曲した蓋体と、前記腕体の他端に配設されたカウンターバランスと、着脱可能な開閉補助棒と、前記蓋体を開成状態で係止する第１係止部と、前記蓋体を閉成状態で係止する第２係止部とを備えたので、操業停止時に養生蓋を閉じることができ、雨水等の浸入や煙突内部の錆を防止できる。また、従来の手作業で蓋体を操作する場合に比較して、安全に作業を行うことができる。更に、開閉補助棒を持って作業すれば、１人で開閉作業をすることができる。
【０００９】
また、本発明において前記蓋体は、閉成状態において閉成方向に付勢されて配設されたので、常に閉成方向に付勢されており、風等で不用意に開くのを防止することができる。また、閉成操作を安全に行うことができる。
【発明を実施するための最良の形態】
【００１０】
煙突用養生蓋構造において、煙突の頂部近傍に回動中心を有する腕体と、前記腕体の一端に配設されるとともに回動軌跡に沿って湾曲した蓋体と、前記腕体の他端に配設されたカウンターバランスと、着脱可能な開閉補助棒と、前記蓋体を開成状態で係止する第１係止部と、前記蓋体を閉成状態で係止する第２係止部とを備えることにより、作業者が一人で開閉操作できるという目的が達成できる。
【実施例】
【００１１】
以下、一実施の形態を示す図面に基づいて本発明を詳細に説明する。図１は、本発明に係る煙突用養生蓋構造の開成状態を示す斜視図、図２は本発明の煙突用養生蓋構造の開成状態を示す側面図である。ここで、煙突用養生蓋構造１０は、煙突１１の頂部近傍に回動中心Ｋを有する腕体１２と、この腕体１２の一端に固定配設されるとともに回動軌跡に沿って湾曲した蓋体１３と、この腕体１２の他端に配設されたカウンターバランス１４と、着脱可能な開閉補助棒１５と、前記蓋体１３を開成状態で係止する第１係止部１６と、前記蓋体１３を閉成状態で係止する第２係止部１７とを備えている。
【００１２】
腕体１２は、ほぼＹ字状に形成されており、蓋体１３は腕体１２の端部にそれぞれ固定されている。また、カウンターバランス１４は、腕体１２の他端に取り付けられた蓋体１３とほぼ釣り合う重量を備えている。更に、Ｙ字状の腕体１２は、図６に示すようにカウンターバランス１４が回動中心Ｋから鉛直に垂下された状態で、一方が垂線に対してθであり、他方がθ＋２°に形成されている。つまり、蓋体１３の閉成方向に＋２°だけ大きな角度を有している。したがって、蓋体１３は、常に閉成方向に付勢されることとなる。
【００１３】
蓋体１３の回動方向の後端には、煙突１１の第１係止部１６或いは開閉補助棒１５の端部と係合するための係止片１８が突設されている（図９、１０参照）。本実施例において、係止片１８には、係止ボルト１９を挿通するためのボルト穴が形成されている。また、蓋体１３の回動方向の前端には、煙突１１に形成された頂部ノズルタラップ２０の一部と係合するための第２係止片２１が突設されている（図７、８参照）。本実施例において、第２係止片２１には、第２係止ボルト２２を挿通するためのボルト穴が形成されている。頂部ノズルタラップ２０の最上部にも第２係止片２１に対応して第２係止部である係止突起２３が立設されている。係止突起２３は、頂部ノズルタラップ２０に立設されており、蓋体１３を閉じた際に、蓋体側に形成された第２係止片２１と対向して、両者のボルト穴が一致する。このボルト穴に第２係止ボルト２２を挿通して、蓋体１３を固定することができる。
【００１４】
蓋体１３は、回動中心Ｋを中心に回動する腕体の軌跡とほぼ同一の曲面を有しており、旋回させた際に煙突１１の頂部に当接しない形状になっている。また、開閉補助棒１５は、両端にボルト穴が形成されており、蓋体１３を閉じた際に、係止片１８と第１係止部１６とを連結する長さ寸法を有している。
【００１５】
次に、以上のように構成された煙突用養生蓋構造の動作について説明する。先ず、焼却炉等を操業する場合は、図１、２に示すように蓋体１３を開いて、第１係止部１６に係止片１８をボルトで固定する。このようにすることで、突風等で蓋体１３がバタ付くことなく、安全に収容しておくことができる。また、煙突の働きに何ら悪影響を与えることがない。
【００１６】
操業を停止し蓋体１３を閉じる場合は、先ず第１係止部１６に固定しているボルトを外し、開閉補助棒１５の一端に係止片１８を係止ボルト１９で取り付ける（図９参照）。次に、作業者は、開閉補助棒１５を持って図３、４に示すように蓋体１３を回動中心Ｋで回動させ、開閉補助棒１５の下端を第１係止部１６にボルトで固定する。蓋体１３を閉成する際、煙突１１の頂上付近では閉成方向にバランスが傾いているので、蓋体１３は閉成方向に自然に回動する。更に、作業者は、煙突１１の反対側に回って、頂部ノズルタラップ２０を昇って、図７、８に示すように蓋体１３の先端側に形成された第２係止片２１を第２係止部である係止突起２３に第２係止ボルト２２で固定する。蓋体１３を閉成する際、カウンターバランス１４が配設されているので、一人で容易に操作することができる。
【００１７】
蓋体１３を開く場合は、先ず頂部ノズルタラップ２０に昇って、第２係止ボルト２２を外した後、煙突１１の反対側に回って開閉補助棒１５の下端を第１係止部１６から外す。次に、開閉補助棒１５を持て蓋体１３を回動させ、開閉補助棒１５の先端を係止片１８から外し、煙突１１側の第１係止部１６にボルトで固定する。蓋体１３とカウンターバランス１４がほぼ釣り合っているので、安全に操作することができる。
【００１８】
このように本発明の煙突用養生蓋構造では、重量のある蓋体であっても、一人で容易に開閉作業をすることができ、操業を停止している煙突に蓋をして雨水の浸入を防止し、煙突内部の錆を防止できる。また、煙突内の酸化物が周囲に飛散するのを防止できる。
【００１９】
なお、本発明は上述の実施例に限定されることなく、特許請求の範囲の記載に基づいて種々の設計変更が可能である。
【図面の簡単な説明】
【００２０】
【図１】図１は、本発明に係る煙突用養生蓋構造の開成状態を示す斜視図である。
【図２】図２は、同煙突用養生蓋構造の開成状態を示す側面図である。
【図３】図３は、同煙突用養生蓋構造の閉成状態を示す斜視図である。
【図４】図４は、同煙突用養生蓋構造の開閉成状態を示す側面図である。
【図５】図５は、同煙突用養生蓋構造の閉成状態をタラップ方向から見た斜視図である。
【図６】図６は、同煙突用養生蓋構造の閉成状態を示す側面図である。
【図７】図７は、閉成された蓋体を固定する第１の固定機構を示す平面図である。
【図８】図８は、同固定機構を示す側面図である。
【図９】図９は、閉成された蓋体を固定する開閉補助棒を使用した第２の固定機構を示す上端部側面図である。
【図１０】図１０は、同固定機構の上端部正面図である。
【図１１】図１１は、同固定機構の下端部側面図である。
【図１２】図１２は、同固定機構の下端部正面図である。
【符号の説明】
【００２１】
１０      煙突用養生蓋構造
１１      煙突
１２      腕体
１３      蓋体
１４      カウンターバランス
１５      開閉補助棒
１６      第１係止部
１７      第２係止部
１８      係止片
１９      係止ボルト
２０      頂部ノズルタラップ
２１      第２係止片
２２      第２係止ボルト
２３      係止突起
【図１】
2007187399.tif 000003
【図２】
2007187399.tif 000004
【図３】
2007187399.tif 000005
【図４】
2007187399.tif 000006
【図５】
2007187399.tif 000007
【図６】
2007187399.tif 000008
【図７】
2007187399.tif 000009
【図８】
2007187399.tif 000010
【図９】
2007187399.tif 000011
【図１０】
2007187399.tif 000012
【図１１】
2007187399.tif 000013
【図１２】
2007187399.tif 000014